(57)【要約】【課題】  高い精度で確実に触媒の浄化性能を診断できるようにする。【解決手段】  触媒１８に流入する排ガスの濃度を変更する濃度変更手順と、触媒１８から流出する排ガスの濃度が変化した時点において触媒１８へ流入する排ガスの流入速度に相関する値を『破過点吸着速度相関値』として求める破過点吸着速度検出手順と、濃度変更手順による流入排ガス濃度の変更後、触媒１８から流出する排ガスの濃度が変化する時点までの間に触媒１８へ流入した排ガスの積算量に相関する値を『流入積算量相関値』として求める流入積算量検出手順と、『破過点吸着速度相関値』と『流入積算量相関値』とに基づいて、触媒１８の吸着点総量に相関する値を『吸着点総量相関値』として求める吸着点総量検出手順と、吸着点総量相関値に基づいて、触媒１８の浄化性能を診断する性能診断手順とをそなえて構成する。【選択図】        図１
2006052668.tif 000002
【特許請求の範囲】
【請求項１】
内燃機関の排気系に設けられた触媒の浄化性能を診断する内燃機関の触媒診断方法において、
該触媒に流入する排ガスの濃度を変更する濃度変更手順と、
該濃度変更手順による該触媒に流入する排ガス濃度の変更後、該触媒から流出する排ガスの濃度が変化した時点において該触媒へ流入する排ガスの流入速度に相関する値を破過点吸着速度相関値として求める破過点吸着速度検出手順と、
該濃度変更手順による該触媒に流入する排ガス濃度の変更後、該触媒から流出する排ガスの濃度が変化する時点までの間に該触媒へ流入した排ガスの積算量に相関する値を流入積算量相関値として求める流入積算量検出手順と、
該破過点吸着速度相関値と該流入積算量相関値とに基づいて、該触媒の吸着点総量に相関する値を吸着点総量相関値として求める吸着点総量検出手順と、
該吸着点総量相関値に基づいて、該触媒の浄化性能を診断する性能診断手順とをそなえる
ことを特徴とする、内燃機関の触媒診断方法。
【請求項２】
該濃度変更手順後、該触媒へ流入する排ガスの圧力に相関する値を排圧相関値として求める排圧検出手順をそなえ、
該吸着点総量検出手順は、該破過点吸着速度相関値と該積算量相関値とに加え、該濃度変更手順において変更された排ガス濃度と該排圧相関値とに基づき、該吸着点総量相関値を求める
ことを特徴とする、請求項１または２記載の内燃機関の触媒診断方法。
【請求項３】
該性能診断手順は、該吸着点総量相関値と所定値とを比較して該触媒の故障を判定する
ことを特徴とする、請求項１または２記載の内燃機関の触媒診断方法。
【請求項４】
該性能診断手順は、
該吸着点総量相関値に基づいて、該触媒へ流入する排ガスの吸着速度に相関する値を吸着速度相関値として求める吸着速度検出手順と、
該吸着速度相関値と該触媒へ流入する排ガスの流入速度に関する値である流入速度相関値とに基づいて該触媒から破過する排ガスの破過量を積算する破過量検出手順とをそなえ、
所定期間内における該積算破過量に基づいて該触媒の浄化性能を診断する
ことを特徴とする、請求項１または２記載の内燃機関の触媒診断方法。
【請求項５】
該内燃機関が車両の駆動に用いられ、
該濃度変更手順が、該車両の減速に際して該内燃機関への燃料供給を停止する燃料カット手順である
ことを特徴とする、請求項１〜４のいずれか１項記載の内燃機関の触媒診断方法。
【請求項６】
該燃料カット手順は、該内燃機関がストイキあるいはリッチ運転が所定期間継続した後に、該内燃機関への燃料供給を停止する
ことを特徴とする、請求項５記載の内燃機関の触媒診断方法。
【請求項７】
該内燃機関が車両の駆動に用いられ、
該濃度変更手順が、該車両の減速に際して該内燃機関への燃料供給を停止した後、該内燃機関への燃料供給を再開する燃料カット復帰手順である
ことを特徴とする、請求項１〜４のいずれか１項記載の内燃機関の触媒診断方法。
【発明の詳細な説明】
【技術分野】
【０００１】
本発明は、自動車に用いて好適な、内燃機関の触媒診断方法に関するものである。
【背景技術】
【０００２】
従来、内燃機関の排気浄化システムとして、一般的に触媒が使用されているが、この触媒は一定の浄化性能を発揮するものではなく、経年劣化によりその浄化性能が低下したり、また、排気温度や排ガス流量などに応じても浄化性能が低下する場合があるため、触媒の浄化性能を適時診断することが必要となる。このような触媒の浄化性能診断のための技術の一例として、以下の特許文献１記載の技術が存在する。
【０００３】
この特許文献１によれば、貴金属の触媒に担時された酸素ストレージ剤（Oxygen Storage Component、以下、「ＯＳＣ剤」という）の酸素ストレージ量、即ち、ＯＳＣ性能に基づき、触媒の浄化性能（劣化状況）が診断されるようになっている。より具体的には、エンジンを燃料カット運転した後に通常運転へ復帰させる際に、触媒下流における排ガスがリーンからリッチとなるまでの復帰時間を計測し、この復帰時間内における吸入空気量積算値に対応した酸素ストレージ量に応じて触媒の劣化を判定する旨が記載されている。
【特許文献１】特開平５−１９５７５９号公報
【発明の開示】
【発明が解決しようとする課題】
【０００４】
ところで、排ガスの浄化は、ＯＳＣ剤によるものではなく、触媒に含まれる貴金属（例えば、白金，パラジウムまたはロジウムなどの金属）により行なわれるものであるため、特許文献１の技術ようにＯＳＣ剤の劣化度合を参照して触媒の劣化度合を推定する手法では診断精度の限界がある。
例えば、ＯＳＣ剤が劣化することにより酸素吸蔵性能が低下していたとしても、貴金属は劣化しておらず、浄化性能には大きな問題が無いというような場合や、その逆の場合などもあり得る。
【０００５】
また、触媒の浄化性能は、劣化以外の原因、例えば、排ガス温度，触媒温度，排気流量などの影響を大きく受けることとなるため、これらのファクターを加味せずに、触媒の浄化性能を正確に診断することは困難である。
他方、予め所定の走行条件（例えば、排出ガス審査モード）を設定しておき、この走行条件における相対的な性能に基づいて触媒の浄化性能を診断する手法も考えられるが、実際の車両の走行条件と完全に一致するように予め走行条件を設定することは事実上不可能であるため、この手法によっても触媒の浄化性能を高精度で診断することは困難である。
【０００６】
また、上記のように予め車両の走行条件を設定する場合、排ガスに関する法規等に適合するように条件を設定する必要があるが、このような排ガスに関する法規は各国毎にその内容が異なるため、車両の輸出先（仕向先）に応じて個々に走行条件を予め設定をする必要がある。また、法規等が改正された場合には、走行条件設定の内容を改めて更新する作業が生じてしまうという課題も生ずる。
【０００７】
本発明はこのような課題に鑑み案出されたもので、高い精度で確実に触媒の浄化性能を診断できる、内燃機関の触媒診断方法を提供することを目的とする。
【課題を解決するための手段】
【０００８】
上記目的を達成するため、本発明の内燃機関の触媒診断方法（請求項１）は、内燃機関の排気系に設けられた触媒の浄化性能を診断する内燃機関の触媒診断方法において、該触媒に流入する排ガスの濃度を変更する濃度変更手順と、該濃度変更手順による該触媒に流入する排ガス濃度の変更後、該触媒から流出する排ガスの濃度が変化した時点において該触媒へ流入する排ガスの流入速度に相関する値を破過点吸着速度相関値として求める破過点吸着速度検出手順と、該濃度変更手順による該触媒に流入する排ガス濃度の変更後、該触媒から流出する排ガスの濃度が変化する時点までの間に該触媒へ流入した排ガスの積算量に相関する値を流入積算量相関値として求める流入積算量検出手順と、該破過点吸着速度相関値と該流入積算量相関値とに基づいて、該触媒の吸着点総量に相関する値を吸着点総量相関値として求める吸着点総量検出手順と、該吸着点総量相関値に基づいて、該触媒の浄化性能を診断する性能診断手順とをそなえることを特徴としている。
【０００９】
また、請求項２記載の本発明の内燃機関の触媒診断方法は、請求項１記載の内容において、該濃度変更手順後、該触媒へ流入する排ガスの圧力に相関する値を排圧相関値として求める排圧検出手順をそなえ、該吸着点総量検出手順は、該破過点吸着速度相関値と該積算量相関値とに加え、該濃度変更手順において変更された排ガス濃度と該排圧相関値とに基づき、該吸着点総量相関値を求めることを特徴としている。
【００１０】
また、請求項３記載の本発明の内燃機関の触媒診断方法は、請求項１または２記載の内容において、該性能診断手順は、該吸着点総量相関値と所定値とを比較して該触媒の故障を判定することを特徴としている。
また、請求項４記載の本発明の内燃機関の触媒診断方法は、請求項１または２記載の内容において、該性能診断手順は、該吸着点総量相関値に基づいて、該触媒へ流入する排ガスの吸着速度に相関する値を吸着速度相関値として求める吸着速度検出手順と、該吸着速度相関値と該触媒へ流入する排ガスの流入速度に関する値である流入速度相関値とに基づいて該触媒から破過する排ガスの破過量を積算する破過量検出手順とをそなえ、所定期間内における該積算破過量に基づいて該触媒の浄化性能を診断することを特徴としている。
【００１１】
また、請求項５記載の本発明の内燃機関の触媒診断方法は、請求項１〜４のいずれか１項に記載の内容において、該内燃機関が車両の駆動に用いられ、該濃度変更手順が、該車両の減速に際して該内燃機関への燃料供給を停止する燃料カット手順であることを特徴としている。
また、請求項６記載の本発明の内燃機関の触媒診断方法は、請求項５記載の内容において、該燃料カット手順は、該内燃機関がストイキあるいはリッチ運転が所定期間継続した後に、該内燃機関への燃料供給を停止することを特徴としている。
【００１２】
また、請求項７記載の本発明の内燃機関の触媒診断方法は、請求項１〜４のいずれか１項に記載の内容において、該内燃機関が車両の駆動に用いられ、該濃度変更手順が、該車両の減速に際して該内燃機関への燃料供給を停止した後、該内燃機関への燃料供給を再開する燃料カット復帰手順であることを特徴としている。
【発明の効果】
【００１３】
本発明の内燃機関の触媒診断方法によれば、触媒の浄化性能と直接的に関連した、触媒の「吸着点総量相関値」に基づいて、より高い精度で確実に触媒の浄化性能を診断できる。（請求項１）
また、触媒へ流入する排ガスの圧力に相関する「排圧相関値」と、「排気ガスの濃度」とに基づいて触媒の浄化性能を診断することで、その精度をさらに高めることができる。（請求項２）
また、「吸着点総量相関値」と「閾値（所定値）」とを比較することにより、速やかに触媒の故障を診断することができる。（請求項３）
また、触媒へ流入する排ガスの吸着速度に相関する「吸着速度相関値」と、触媒へ流入する排ガスの流入速度に相関する「吸着速度相関値」とに基づき、触媒から破過する排ガスの破過量を積算し、この積算した破過量に基づいて、より精度良く触媒の浄化性能を診断することができる。（請求項４）
また、触媒での破過を燃料カット運転中に発生させることにより、破過による排ガス性能の悪化を防ぐことができる。（請求項５）
また、内燃機関がストイキ運転あるいはリッチ運転を所定時間継続した後に、当該内燃機関への燃料供給停止（燃料カット）を実行することで、触媒の浄化性能の診断性能をさらに高めることができる。（請求項６）
また、内燃機関を燃料カット運転して触媒に流入する排ガスを実質的に空気のみとすることで触媒の劣化浄化性能診断のための条件を安定させ、その後、内燃機関への燃料供給を再開して排ガス濃度を変更することで、触媒の浄化性能の診断性能をさらに高めることができる。（請求項７）
【発明を実施するための最良の形態】
【００１４】
以下、図面により、本発明の第１実施形態に係る内燃機関の触媒診断方法について説明すると、図１は本発明が適用される模式的な内燃機関のブロック構成図、図２および図３はその作用を示すフローチャート、図４は触媒による排ガス成分の吸着速度の低下を説明するためのグラフである。
図１に示すように、車両用のエンジン（内燃機関）１１には吸気系１２と排気系１３とＥＣＵ２３とが主にそなえられ、このうち、吸気系１２には、エアフローセンサ１５とインジェクタ１６とが設けられるとともに、排気系１３には触媒１８と、Ｏ2センサ２０と、排圧センサ２１とが設けられている。また、車内のインストルメントパネル（図示略）には触媒１８の故障が診断された場合に点灯する警告灯２２が設けられている。
【００１５】
吸気系１２のエアフローセンサ１５は、吸気管１４内を流れる空気流量を測定するセンサであって、測定値はＥＣＵ２３へ送信されるようになっている。
インジェクタ１６は、吸気系１２の吸気ポート２４内へ燃料を噴射するものであって、噴射量および噴射タイミングなど、その作動は後述するＥＣＵ２３によって制御されるようになっている。
【００１６】
また、排気系１３の触媒１８は、排ガスに含まれるＨＣ，ＣＯおよびＮＯｘを、Ｈ2Ｏ，Ｎ2およびＯ2として化学変化させた後に大気へ放出するものであって、セラミックの表面に、貴金属としてのＰｔ（白金）およびＲｈ（ロジウム）とＯＳＣ剤としてのＣｅＯ2（セリア）を担持することによって構成されている。なお、貴金属材料としては、上記以外にも、例えば、Ｐｄ（パラジウム）を含む他の組み合わせを用いるようにしてもよい。また、説明の簡略化のため、本実施形態においては排ガスに含まれるＨＣ，ＣＯおよびＮＯｘのうち、ＮＯｘに着目して説明する。
【００１７】
Ｏ2センサ２０は、触媒１８の下流側に設けられており、排ガスに含まれる酸素量を測定できるようになっている。なお、測定値はＥＣＵ２３へ送信されるようになっている。
排圧センサ２１は、触媒１８の上流側における排気系１３内に設けられ、排気系１３内や触媒１８内の気圧（即ち、排圧Ｐ）を測定するものであって、測定値はＥＣＵ２３へ送信されるようになっている。
【００１８】
また、ＥＣＵ２３は、メモリ，ＣＰＵ，インターフェース装置など（いずれも図示略）をそなえた電子制御ユニットであって、また、このＥＣＵ２３には、いずれもソフトウェアとして実現された、空燃比変更制御部（排ガス濃度変更手段）２５，吸着速度検出部（破過点吸着速度検出手段）２６，流入積算量検出部（流入積算量検出手段）２７，吸着点総量検出部（吸着点総量検出手段）２８および性能診断部（性能診断手段）２９がそなえられている。
【００１９】
このうち、空燃比変更制御部２５は、アクセルペダルセンサ（図示略）によってドライバがアクセルペダルを解放したことが検出され、エンジン１１がアイドル運転となっている状態下で、インジェクタ１６による燃料噴射量を増加させることによってエンジン１１の燃焼空燃比をリッチとしたり、あるいは、燃料噴射量を減少させてリーンとしたりすることで、排ガスの濃度を変更するものである。
【００２０】
吸着速度検出部２６は、空燃比変更制御部２５による排ガス濃度変更の実行後、触媒１８の下流側に設けられたＯ2センサ２０によって触媒１８から流出する排ガス濃度Ｃ2が変化したことが検出された時点（即ち、「破過点」；後述する）における触媒１８への流入排ガス速度（流入速度）Ｖinを、破過点吸着速度（破過点吸着速度相関値）ＶBPとして算出するものである。
【００２１】
ここで、「破過点」とは、触媒１８の貴金属がＮＯｘを吸着する速度（吸着速度）Ｖaが、排ガスが触媒１８に流入する速度（流入速度）Ｖinと等しくなった（即ち、流入速度Ｖin＝吸着速度Ｖaとなった）時点をいい、また、「破過」とは、触媒１８の貴金属がＮＯｘを吸着する速度（吸着速度）Ｖaが、排ガスが触媒に流入する排ガスの速度（流入速度）Ｖin以下となった（即ち、Ｖa≦Ｖinとなった）場合をいう。なお、破過点における流入速度Ｖinは吸着速度Ｖaと等しいため、流入速度Ｖinおよび吸着速度Ｖaのいずれを用いても表現することは可能であるが、説明が複雑なものとなってしまうおそれがあるため、破過点における流入速度Ｖinおよび破過点における吸着速度Ｖaを「破過点吸着速度ＶBP」として説明する。なお、流入速度Ｖin，吸着速度Ｖaおよび破過点吸着速度ＶBPは、いずれも、［ｍｏｌ／ｓｅｃ］，［Ｌ／ｓｅｃ］あるいは［ｇ／ｓｅｃ］などの単位の内、共通の単位で表される値であって、反応速度に相関する値である。
【００２２】
そして、吸着速度Ｖaは、以下の式（１）により求めることができるようになっている。
吸着速度Ｖa＝「定数Ｋ」×「排圧Ｐ」×「空いている吸着点総量ＡS1」・・・（１）
ここで、Ｋは係数、排圧（排圧相関値）Ｐは触媒内での気圧であって排圧センサ２１により測定された値である。また、空いている吸着点総量ＡS1は、触媒１８においてまだＮＯｘが吸着されていない吸着点の総量である
つまり、この式（１）は、吸着速度Ｖaが、触媒１８の貴金属に対して衝突する頻度（即ち、排圧Ｐ）に比例し、また、空いている吸着点総量ＡS1に比例することに基づく。つまり、空いている吸着点総量ＡS1が減少するにつれて吸着速度Ｖaも低下するのである。なお、ＮＯｘは、ＮＯｘがＮとＯとに解離され、触媒１８の貴金属に吸着されるようになっている。
【００２３】
また、上記の式（１）において、吸着速度Ｖaは空いている吸着点総量ＡS1に１次比例するようになっているが、以下の式（２）のように２次比例するとして算出することも可能である。
【数１】
2006052668.tif 000003
この式（２）中、Ａは定数、Ｐは排圧センサ２１によって測定された排圧、φは触媒に含まれる貴金属とＯＳＣ剤とのうち貴金属によってＯ2が吸着される割合、Ｑは触媒１８によるＯ2吸着量、κは単位貴金属質量あたりのＯ2吸着飽和量、Ｌは貴金属の量である。なお、触媒１８のＯ2吸着量Ｑは∫｛流入速度Ｖin（ｔ）×排ガス濃度Ｃ（ｔ）｝ｄｔとして表してもよい。
【００２４】
また、この式（２）は以下の式（３）に対して、条件式（４）および条件式（５）を代入することによって得られる式である。なお、下式（３）〜（５）におけるθは吸着点被覆率（既にＯ2を吸着している吸着点の割合）である。
Ｖa＝Ｋ（θ）・Ｐ・（１−θ）  ・・・（３）
Ｋ（θ）＝Ａ・（１−θ）  ・・・（４）
θ＝（φ×Ｑ）／（κ×Ｌ）  ・・・（５）
流入積算量検出部２７は、空燃比変更制御部２５により触媒１８へ流入する排ガス濃度Ｃ1が変更された後、触媒１８の下流に設けられたＯ2センサ２０により触媒１８から流出する排ガス濃度Ｃ2が変化するまでの期間（即ち、破過に至るまでの時間；破過時間内）において、触媒１８へ流入した排ガスの積算量（流入積算量相関値）Ｆinを求めるものである。つまり、この流入積算量Ｆinは、流入速度Ｖinの積算値であって、破過点における既に吸着されている吸着点総量の相関値であり、下式（６）で求めることができる。
【００２５】
Ｆin＝∫｛流入速度Ｖin（ｔ）×排ガス濃度Ｃ1（ｔ）｝ｄｔ・・・（６）
吸着点総量検出部２８は、破過点における吸着速度Ｖa（即ち、破過点吸着速度相関値ＶBP）と、流入積算量Ｆinとに加え、空燃比変更制御部２５によって濃度が変更された排ガス濃度Ｃ1と、排圧センサ２１によって測定された排圧Ｐとに基づき、吸着点総量（吸着点総量相関値）ＡSを算出するものである。
【００２６】
ここで、吸着点総量ＡSは、触媒１８の貴金属が有する吸着点総量であって、以下の式（７）によって算出されるようになっている。
【数２】
2006052668.tif 000004
この式（７）は、破過点においては吸着速度Ｖa＝流入速度Ｖinが成立し、また、貴金属により既に吸着されたＯ2量（即ち、吸着量）は「∫｛流入速度Ｖin（ｔ）×排ガス濃度Ｃ1｝ｄｔ」であるという条件を、上記の式（１）に代入することによって得られる式である。
【００２７】
性能診断部２９は、吸着点総量検出部２８により算出された吸着点総量ＡSに基づいて、触媒１８の浄化性能を診断するものであって、より具体的には、吸着点総量ＡSが閾値（所定値）以下であるか否かを判定し、この判定結果に基づいて触媒１８の浄化性能が低下しているか否か（即ち、触媒１８が故障中であるか否か）を診断し、そして、故障中であると診断した場合には警告灯２２を点灯させるものである。なお、この閾値は触媒１８の特性に応じて求められる実験値であって、予めＥＣＵ２３のメモリ（図示略）内に設定してある。
【００２８】
本発明の第１実施形態に係る内燃機関の触媒診断方法は上述のように構成されているので、以下のような作用および効果を奏する。
図２のフローチャートに示すように、まず、ステップＳ１１（濃度変更手順）において、空燃比変更制御部２５がインジェクタ１６による燃料噴射量を変更することで、触媒１８に流入する排ガス濃度Ｃ1を変更する。
【００２９】
そして、ステップＳ１２において、触媒１８へ流入する排ガスの濃度Ｃ1が変化したか否かが判定される。このとき、排ガス濃度Ｃ1を変化させると同時に、流入排ガス濃度が変化したと判定してもよいし、排ガス濃度Ｃ1、つまり燃焼空燃比を変更した後に排気系容積に起因する輸送遅れなどの遅れ時間が経過した時点で流入排ガス濃度が変化したと判定しても良く、また、触媒上流に設けたＯ2センサによる出力値の変化が所定値以上となった場合に流入排ガス濃度が変化したと判定してもよい。
【００３０】
そして、ステップＳ１３において、触媒１８の下流側のＯ2センサ２０により触媒１８から流出するＯ2濃度Ｃ2の変化量ΔＣ2が検出される。
ここで、触媒１８の下流側のＯ2センサ２０により検出された排ガス濃度変化量ΔＣ2が、所定値以下である（即ち、破過していない）場合には、ステップＳ１７およびステップＳ１８（流入積算量検出手順）において流入速度Ｖinおよび流入排ガス濃度Ｃ1が検出された後に、これらの流入速度Ｖinおよび排ガス濃度Ｃ1を用いて触媒１８へ流入した排ガスの流入量Ｆin（即ち、∫｛流入速度Ｖin（ｔ）×排ガス濃度Ｃ1（ｔ）｝ｄｔ）が算出されて、積算値としてＥＣＵ２３の図示しないメモリに保存される。
【００３１】
一方、ステップＳ１３において、流出排ガス濃度変化量ΔＣ2が所定値よりも大きい（即ち、破過している）と判定された場合には、ステップＳ１４において排圧センサ２１により排圧Ｐが検出されるとともに、吸着速度検出部２６により破過点吸着速度ＶBPが検出される。
そして、ステップＳ１５（吸着点総量検出手順）において、吸着点総量検出部２８が、上述した式（１）に基づき触媒１８の貴金属における吸着点総量ＡSを算出した後、ステップＳ１６において、ＥＣＵ２３のメモリ内に記憶された触媒流入排ガス濃度変化判定や、触媒１８へ流入した排ガスの積算量Ｆin（即ち、∫｛流入速度Ｖin（ｔ）×排ガス濃度Ｃ1（ｔ）｝ｄｔ）がリセットされ、その後、リターンする。
【００３２】
次に、触媒１８の故障判定について、図３に示すフローチャートを用いて説明すると、まず、ステップＳ２１（性能診断手順）において、上述の図２のステップＳ１５において既に算出された吸着点総量ＡSが所定値未満であるか否かがＥＣＵ２３の性能診断部２９によって判定される。ここで、吸着点総量ＡSが所定値未満である場合には、性能診断部２９が触媒１８の浄化性能が低下している（即ち、故障している）と診断して警告灯２２を点灯させドライバの注意を促し（ステップＳ２２）、一方、吸着点総量ＡSが所定値以上である場合には、触媒１８は正常であると診断して警告灯２２を点灯させず或いは消灯する（ステップＳ２３）。
【００３３】
ここで、図４を用いて、空いている吸着点総量ＡS1が減少するにつれて貴金属の吸着速度Ｖaが低下するという現象について説明すると、この図４のグラフの縦軸はＮＯｘの吸着速度Ｖaであり単位は［ｇ／秒］、一方、横軸は触媒１８によって吸着されたＯ2の積算量であり単位は［ｇ］である。また、触媒１８に含まれる貴金属（Ｒｈ；ロジウム）の量を含有量Ｒ1と含有量Ｒ2との２段階（但し、Ｒ1＜Ｒ2）に設定する。そして含有量Ｒ1の場合の理論値を鎖線，実験値を三角印で示し、含有量Ｒ2の場合の理論値を１点鎖線，実験値を丸印で示す。さらに、Ｒｈの含有量Ｒ2でＯＳＣ剤を添加した触媒を用いた場合の理論値を２点差線，実験値を四角印で示す。
【００３４】
ここで、排ガス中のＮＯｘが触媒１８に対して流入する速度がＶin1で一定であると仮定すると、この流入速度Ｖin1よりも下方の領域が破過、流入速度Ｖin1＝ＮＯｘ吸着速度Ｖaとなる箇所（即ち、この流入速度Ｖin1と理論値あるいは実験値との交点）が破過点である。
つまり、この図４には、貴金属の含有量の違いや、ＯＳＣ剤の添加の有無により、ＮＯｘ吸着速度Ｖaの低下の度合いは異なるものの、触媒１８において吸着されたＯ2量が増大（即ち、空いている吸着点総量ＡS1が減少）するにつれて、ＮＯｘ吸着速度Ｖaが低下し、最終的にはＮＯｘ吸着速度Ｖaがゼロ（即ち、飽和）となることが示されている。
【００３５】
このように、本実施形態の内燃機関の触媒診断方法によれば、触媒１８の浄化性能と直接的に関連した触媒１８の貴金属における吸着点総量（吸着点総量相関値）ＡSに基づいて、より高い精度で確実に触媒１８の浄化性能を診断することができる。
また、触媒１８へ流入する排ガスの圧力である排圧Ｐ（排圧相関値）と、濃度変更後の流入排ガス濃度Ｃ1とに基づいて触媒１８の浄化性能を診断することで、その診断精度を高めることができる。
【００３６】
また、吸着点総量ＡSと所定値とを比較することにより、速やかに触媒１８の故障を診断することができる。
次に、図面により、本発明の第１実施形態の変形例に係る内燃機関の触媒診断方法について説明すると、図５は本変形例に係る本発明が適用される模式的な内燃機関のブロック構成図、図６はそのフローチャートである。なお、上述の第１実施形態と同一の構成要素については同一の符号を付し、また、上述の第１実施形態を説明するのに用いた図を用いて説明する場合もある。また、本変形例と上述した第１実施形態とにおいて異なっているのは、ＥＣＵ３０内の吸着点総量検出部３１および流入積算量検出部３２であるので、この点を中心に説明する。
【００３７】
図５に示すように、本変形例における吸着点総量検出部３１は、破過点における吸着速度Ｖa（即ち、破過点吸着速度ＶBP）と、流入積算量Ｆinとに加え、燃料カット制御部２５によって濃度が変更された後に触媒上流側Ｏ2センサ１９によって検出された排ガス濃度Ｃと、排圧センサ２１によって測定された排圧Ｐとに基づき、吸着点総量（吸着点総量相関値）ＡSを算出するものである。
【００３８】
そして、本変形例の吸着点総量検出部３１は、排ガス濃度Ｃ1が一定であるとみなして吸着点総量ＡSを算出するようにしている点で、第１実施形態の吸着点総量検出部２８と異なっており、より具体的には、以下の式（８）を用いて吸着点総量ＡSを算出するようになっている。
【数３】
2006052668.tif 000005
なお、この式（８）は、破過点において吸着速度Ｖa＝流入速度Ｖinが成立し、また、貴金属により既に吸着されたＯ2量（即ち、吸着量）は「∫流入速度Ｖin（ｔ）ｄｔ×排ガス濃度Ｃ1」であるという条件を、第１実施形態において説明した式（１）に代入することによって得られる式である。
【００３９】
また、流入積算量検出部３２は、空燃比変更制御部２５によりエンジン１１への燃料噴射量が変更されることにより触媒１８へ流入する排ガス濃度Ｃ1が変更された後、触媒１８の下流に設けられたＯ2センサ２０により触媒１８から流出する排ガスの濃度Ｃ2が変化するまでの時間（即ち、破過時間内）において、触媒１８へ流入した排ガスの積算量（流入積算量相関値）Ｆinを求めるものである。
【００４０】
つまり、この流入積算量Ｆinは、流入速度Ｖinの積算値であって、破過点において既に吸着している吸着点総量の相関値であるので、流入積算量検出部３２は下式（９）を用いて流入積算量Ｆinを求めることができる。
Ｆin＝∫流入速度Ｖin（ｔ）ｄｔ×排ガス濃度Ｃ1・・・（９）
本変形例に係る本発明の内燃機関の触媒診断方法は上述のように構成されているので、以下のような作用および効果を奏する。なお、本変形例を示す図６のフローチャートと、第１実施形態を説明する際に用いた図２のフローチャートとの間で異なる点のみについて説明する。
【００４１】
図６のステップＳ１３において、触媒１８の下流側のＯ2センサ２０により触媒１８から流出するＯ2濃度の変化量ΔＣ2が検出され、ここで、この変化量ΔＣ2が、所定値以下である（即ち、破過していない）場合には、ステップＳ３７，Ｓ３８（流入積算量検出手順）において流入速度Ｖinが検出された後に、これらの流入速度Ｖinを用いて触媒１８へ流入した排ガスの流入量Ｆin（即ち、∫流入速度Ｖin（ｔ）ｄｔ）が算出されて、積算値としてＥＣＵ２３内の図示しないメモリに保存される。
【００４２】
一方、ステップＳ１３において、流出排ガス濃度変化量ΔＣ2が所定値よりも大きい（即ち、破過している）と判定された場合には、ステップＳ１４において排圧センサ２１により排圧Ｐが検出されるとともに、吸着速度検出部２６により破過点吸着速度ＶBPが検出される。
その後、ステップＳ３５（吸着点総量検出手順）において、吸着点総量検出部３１が、上述した式（８）に基づき触媒１８の貴金属における吸着点総量ＡSを算出した後、ステップＳ３６において、ＥＣＵ２３のメモリ内に記憶された触媒流入排ガス濃度変化量ΔＣ1や触媒１８へ流入した排ガスの積算量Ｆin（即ち、∫流入速度Ｖin（ｔ）ｄｔ）がリセットされ、その後、リターンする。
【００４３】
このように、本変形例に係る内燃機関の触媒診断方法によれば、排ガス濃度Ｃ1を時間の関数とはせずに一定として取り扱うことで、より簡単に吸着点総量ＡSを算出することができ、これにより、素早く触媒１８の浄化性能を診断することができる。
次に、図面により、本発明の第２実施形態に係る内燃機関の触媒診断方法について説明すると、図７は本発明が適用される模式的な内燃機関のブロック構成図、図８および図９はそのフローチャートである。
【００４４】
なお、上述の第１実施形態と同一の構成要素については同一の符号を付し、その説明を省略し、ここでは第１実施形態との相違点に重点を置いて説明する。また、上述の第１実施形態を説明するのに用いた図も併用して説明する。
図７に示すように、車両用のエンジン１１には吸気系１２と排気系１３とＥＣＵ５１とがそなえられ、このうち、吸気系１２には、エアフローセンサ１５と、インジェクタ１６とが設けられるとともに、排気系１３には、触媒１８と、Ｏ2センサ２０と、排圧センサ２１とが設けられている。また、車内のインストルメントパネル（図示略）には触媒１８の故障が診断された場合に点灯する警告灯２２が設けられている。
【００４５】
つまり、上述の構成は第１実施形態において図１を用いて説明した構成と原則的には同じであるが、第１実施形態のＥＣＵ２３と本実施形態のＥＣＵ５１とでは内蔵されるソフトウェアの構成が異なっている。
この本実施形態におけるＥＣＵ５１は、空燃比制御部（排ガス濃度変更手段）２５，吸着速度検出部（破過点吸着速度検出手段）２６，流入積算量検出部（流入積算量検出部）２７，吸着点総量検出部（吸着点総量検出手段）２８および性能診断部（性能診断手段）５２がそなえられ、このうち、性能診断部５２が、診断条件検出部５３と、吸着量検出部５４と、破過量検出部５５とをそなえて構成されている。なお、空燃比制御部２５，吸着速度検出部２６，流入積算量検出部２７および吸着点総量検出部２８については、第１実施形態において既に説明しているため、ここではその説明を省略する。
【００４６】
このうち、診断条件検出部５３は、触媒１８の性能を診断するための条件が成立しているか否かが判定するものであって、より具体的には、エンジン１１が始動してからの時間をカウントし、カウントした時間が所定時間を経過したら触媒１８の性能診断を実行するものである。
また、吸着量検出部５４は、以下の式（１０）をサイクリックに実行することで触媒１８の貴金属に吸着されたＯ2の総量Ｑを検出するものである。
【００４７】
吸着量Ｑ（ｎ）＝吸着量Ｑ（ｎ−１）＋排ガス流入速度Ｖin・・・（１０）
なお、ここで、ｎは吸着量Ｑの検出（即ち、上記の式（１０）の算出）回数である。
また、破過量検出部５５は、触媒１８への排ガスの流入速度（流入速度相関値）Ｖinと、吸着速度検出部５３によって算出された排ガス吸着速度Ｖaとに基づき、以下の式（１１）をサイクリックに実行することで、触媒１８から破過する排ガスの破過量Ｂを積算するものである。なお、ここで、ｎは式（１１）による破過量Ｂの算出回数である。
【００４８】
破過量Ｂ（ｎ）＝破過量Ｂ（ｎ−１）＋（流入速度Ｖin―吸着速度Ｖa）・・・（１１）
本発明の第２実施形態に係る内燃機関の触媒診断方法は上述のように構成されているので、以下のような作用および効果を奏する。
図８のフローチャートに示すように、故障診断モードにおいて、吸着量検出部５４により、触媒１８の貴金属に吸着されたＯ2の総量Ｑが検出される（ステップＳ４２）。
【００４９】
その後、ステップＳ４３において、排圧センサ２１により排圧Ｐが検出され、また、吸着点総量検出部２８により、吸着点総量ＡSが算出される。なお、吸着点総量ＡSは、第１実施形態において説明した式（６）や、第１実施形態の変形例において説明した式（８）を用いて得ることができる。
そして、ステップＳ４４において、吸着速度検出部２６が、上述の式（１）に相当する式である下式（１Ａ）を用いて吸着速度Ｖaを得る。
【００５０】
吸着速度Ｖa＝「定数Ｋ」×「排圧Ｐ」×（吸着点総量Ａs−吸着量Ｑ）・・・（１Ａ）
その後、ステップＳ４５において、破過が生じているか否かが判定される。ここで、破過が生じている、即ち、吸着速度Ｖaが流入速度Ｖin未満（吸着速度Ｖa＜流入速度Ｖin）である場合には、ステップＳ４６において、破過量検出部５６が上記の式（１１）を用いて破過量Ｂ、即ち、触媒１８から放出された排ガス量を算出する。
【００５１】
そして、図９のフローチャートへ移行し、ステップＳ５１において、破過量Ｂ（ｎ）が所定値を超えていないか否かが破過量検出部５６により判定される。ここで、破過量Ｂ（ｎ）が所定値を超えていない場合、破過量検出部５６は触媒１８が正常であると判定するので警告灯２２を点灯させることはないが（ステップＳ５３）、破過量Ｂ（ｎ）が所定値を超えている場合には触媒１８が故障中であると判定し、警告灯２２を点灯させて乗員の注意を促す（ステップＳ５２）。その後、吸着量検出部５４により検出された吸着量Ｑの積算値Ｑ（ｎ）と、破過量検出部５５により検出された破過量Ｂの積算値Ｂ（ｎ）とをリセットし、リターンする。
【００５２】
このように、本実施形態の内燃機関の触媒診断方法によれば、触媒１８の浄化性能と直接的に関連した破過量Ｂに基づいて、より高い精度で触媒１８の浄化性能を診断することで、確実かつ容易に触媒１８の故障を診断することができる。
以上、本発明の第１実施形態とその変形例および第２実施形態を説明したが、本発明はこれらの実施形態や変形例に限定されるものではなく、本発明の趣旨を逸脱しない範囲で種々変形して実施することができる。
【００５３】
例えば、上述の各実施形態やその変形例においては、空燃比変更制御部２５により触媒１８へ流入する排ガス濃度Ｃ1を変更するようにしたが、車両減速時に所定条件が揃った場合にエンジン１１への燃料供給を停止する燃料カット制御部により触媒１８へ流入する排ガス濃度Ｃ1を変更するようにしてもよい。
この燃料カット制御部は、アクセルペダルセンサ（図示略）によってドライバがアクセルを解放したことが検出されると、エンジン回転数が所定回転数以上であることを条件にインジェクタ１６による燃料噴射を停止させる燃料カット運転（燃料カット手順）を実行するものである。この場合、エンジン１１がストイキあるいはリッチ運転が所定期間継続した後で、燃料カット運転を実行するのが好ましい。なお、エンジン１１の燃料カット運転は、一般的に燃費を向上させることを意図して実行される場合が多いが、本例においては、燃料カット運転の実行により、触媒１８へ流入する排ガス濃度が変化することに着目している。
【００５４】
これにより、エンジン１１が燃料カット運転している場合に触媒１８で破過を発生させることにより、意図的な破過による排ガス性能の悪化を防ぐことができる。
また、エンジン１１がストイキ運転あるいはリッチ運転を所定時間継続した後に、燃料カット運転に切り換えて触媒１８の浄化性能を診断することで、診断性能をさらに高めることができる。
【００５５】
また、燃料カット前にエンジン１１をリッチ運転することによって、触媒１８によって吸着される酸素を低減することが可能となり、また、エンジン１１をストイキ運転することによって、触媒１８によって吸着される酸素および吸着還元剤も低減することができる。これにより、触媒１８に流入する排ガス積算量と、燃料カット中の酸素吸着量とが実質的に等しく比例関係になり、診断精度をさらに高めることが可能となる。
【００５６】
また、ドライバがアクセルを踏み込んだことがアクセルペダルセンサによって検出されると、この燃料カット制御部は、インジェクタ１６による燃料噴射を再開し、エンジン１１を通常運転へ復帰させ、速やかに加速させるとともに、触媒１８に流入する排ガスの濃度を変更する燃料カット復帰運転（燃料カット復帰手順）を実行することができるようにもなっており、この燃料カット復帰を触媒１８への流入排ガス濃度の変更として利用してもよい。
【００５７】
この場合、排ガス濃度変更前の状態をエンジン１１の燃料カット運転とすることで、触媒１８に流入する排ガスを実質的に空気のみとし、これにより、触媒１８の劣化浄化性能診断のための前提条件を安定させることができる。
また、上述の各実施形態においては、排圧センサ２１によって測定された気圧をそのまま排圧Ｐとして用いるようになっているが、エンジンの吸気ポートに吸気圧センサを設けて燃焼室から吸気ポートへの吹き返し圧を測定し、この吹き返し圧情報から求めた排圧Ｐを用いるようにしてもよいし、予め設定した排圧マップからマップ値である排圧Ｐを選ぶようにしてもよい。また、排圧Ｐがほとんど変動しないエンジンの運転領域（例えば、低中排気流領域）においては、排圧Ｐを係数（＝１．０）として取り扱うようにしてもよい。
【００５８】
また、上述の各実施形態においては、空燃比変更制御部２５を用いた場合を説明しているが、これに代えて、エンジン１１の排気ポートに２次エアを供給するエアポンプを設け、排ガスの濃度を変更する際に２次エアを供給するような構成としてもよい。
また、触媒１８の上流側および下流側にそれぞれＮＯｘ，ＨＣおよびＣＯなどを直接検出する排ガスセンサを設けるようにしてもよい。
【００５９】
また、エンジン１１の上流側での空燃比から流入排ガス濃度Ｃ1を推定したり、マップ値である排ガス濃度Ｃ1を選ぶようにしたりしてもよい。
また、燃料カット運転実行中に、触媒上流の排ガス濃度Ｃ1を求める場合には、係数（例えば、排ガス濃度がＯ2濃度であるとした場合には、大気中で酸素で占める割合としての値である約２０％）を用いるようにしてもよい。
【００６０】
また、上述の第１および第２実施形態においては、排ガス濃度としてＮＯｘに着目するとともに、貴金属のＯ2吸着点総量を算出したが、このような例に限定されるものではない。
また、排ガス濃度としてＨＣに着目するとともに、貴金属により吸着されるＨＣ量に着目して貴金属のＨＣ吸着点総量を算出してもよい。また、ＨＣには様々な種類のＨＣが存在するが、ある一種類のＨＣに着目しても、複数種のＨＣに着目してもよい。この場合、触媒の上流側と下流側とにＨＣセンサを設けるようにしてもよい。
【００６１】
同様に、排ガス濃度としてＣＯに着目するとともに、貴金属により吸着される物質としてＣＯに着目することで、貴金属の吸着点総量を算出してもよい。
また、触媒の上流および下流の両側に排ガスセンサ（例えば、ＮＯｘセンサ等）を配設した場合には、両センサによる検出タイミングの誤差、即ち、触媒上流のセンサによる検出タイミングと、触媒下流のセンサによる検出タイミングとの誤差を補正するようにしてもよい。この場合、上述した式（６）のうち、∫流入速度Ｖin（ｔ）ｄｔから上流側のセンサおよび下流側のセンサ間における触媒の容積を差し引くことで、この誤差を補正するようにしてもよい。この場合、より正確に吸着点総量ＡSを求めることができる。
【００６２】
また、上述の第１実施形態において説明した式（７）の代わりに、下式（１２）を用いるようにしてもよい。
【数４】
2006052668.tif 000006
また、上述の第２実施形態においては、触媒１８の故障診断の実行条件として、例えば、エンジン始動からの所定時間が経過したことを実行条件としてもよいし、例えば、車両の走行距離が所定距離に達したことを条件としてもよいし、また、エンジンの冷却水温，排ガス温度，エンジン始動から積算された排ガス流量，吸気温度，エンジンオイル温度などのファクターを加味して条件設定をしてもよい。また、例えば、エンジン始動から所定時間が経過していない場合でも、排ガス温度が所定温度を超えたような場合などは強制的に触媒１８の故障診断（即ち、図９のフローチャートによる制御）を実行するようにしてもよい。
【００６３】
また、ゼオライトやＡｇ等のＨＣ吸着剤の吸着点総量またはバリウムやカリウム等のＮＯｘ吸着剤の吸着点総量を算出し、ＨＣ吸着剤またはＮＯｘ吸着剤の診断を行なうようにしても良く、その他、いかなる触媒の診断を行なうようにしてもよい。
【図面の簡単な説明】
【００６４】
【図１】本発明の第１実施形態に係る内燃機関の触媒診断方法が適用された装置の全体構成を示す模式的なブロック構成図である。
【図２】本発明の第１実施形態に係る内燃機関の触媒診断方法を示す模式的なフローチャートであって、吸着量総量を算出するための制御を示すものである。
【図３】本発明の第１実施形態に係る内燃機関の触媒診断方法を示す模式的なフローチャートであって、吸着点総量に基づいて触媒の故障を診断するための制御を示すものである。
【図４】本発明の第１実施形態、第１実施形態の変形例および第２実施形態に係る内燃機関の触媒診断方法における、ＮＯｘ吸着速度と触媒におけるＯ2吸着量との関係を示す模式的なグラフである。
【図５】本発明の第１実施形態の変形例に係る内燃機関の触媒診断方法が適用された装置の全体構成を示す模式的なブロック構成図である。
【図６】本発明の第１実施形態の変形例に係る内燃機関の触媒診断方法を示す模式的なフローチャートであって、吸着量総量を算出するための制御を示すものである。
【図７】本発明の第２実施形態に係る内燃機関の触媒診断方法が適用された装置の全体構成を示す模式的なブロック構成図である。
【図８】本発明の第２実施形態に係る内燃機関の触媒診断方法を示す模式的なフローチャートであって、破過量を積算するための制御を示すものである。
【図９】本発明の第２実施形態に係る内燃機関の触媒診断方法を示す模式的なフローチャートであって、破過量の積算値に基づき触媒の故障を診断するための制御を示すものである。
【符号の説明】
【００６５】
１１  エンジン（内燃機関）
１３  排気系
１８  触媒
Ｓ１１  濃度変更手順
Ｓ１４  破過点吸着速度検出手順
Ｓ１７，Ｓ１８，Ｓ３７，Ｓ３８  流入積算量検出手順
Ｓ１５，Ｓ３５  吸着点総量検出手順，排圧検出手順
Ｓ２１，Ｓ５１  性能診断手順
【図１】
2006052668.tif 000007
【図２】
2006052668.tif 000008
【図３】
2006052668.tif 000009
【図４】
2006052668.tif 000010
【図５】
2006052668.tif 000011
【図６】
2006052668.tif 000012
【図７】
2006052668.tif 000013
【図８】
2006052668.tif 000014
【図９】
2006052668.tif 000015